(57)【要約】【課題】コームまたはブラシ本体に多数のノズル孔を備えた小径管を取り付け、ノズル孔から毛髪処理用の流体を吹き出すようにするとともに、多数のノズル孔を備えた小径管をコームまたはブラシ本体に着脱可能とすることにより、使い慣れたコームまたはブラシ本体をそのまま使用しながら、コームまたはブラシ本体に沿って毛髪処理用の流体を吹き出せるようにした毛髪処理器を提供することを目的とするものである。【解決手段】コームまたはブラシの本体部分に着脱可能に小径管を取り付け、この小径管に所定の間隔で多数のノズル孔を形成するとともに、上記小径管に柔軟な連結管を介して毛髪処理用の流体を圧送する流体供給機構を付設したことを特徴とする毛髪処理器。【選択図】          図１
2005334541.tif 000002
【特許請求の範囲】
【請求項１】
コームまたはブラシの本体部分に着脱可能に小径管を取り付け、この小径管に所定の間隔で多数のノズル孔を形成するとともに、上記小径管に柔軟な連結管を介して毛髪処理用の流体を圧送する流体供給機構を付設したことを特徴とする毛髪処理器。
【請求項２】
毛髪処理用の流体が、流体の通路を仕切るように複数枚のハニカムフィルターを設け、その間に流体の通路を形成するよう配置した管状部材に沿って、その外周上に磁場のニュートラルゾーンを形成する磁石を設置した流体改質装置で処理を施された流体からなる請求項１に記載の毛髪処理器。
【請求項３】
コームまたはブラシの本体部分への小径管の着脱手段が、この小径管に取り付けたクリップからなる請求項１または２に記載の毛髪処理器。
【請求項４】
コームまたはブラシの本体部分への小径管の着脱手段が、この小径管に取り付けた開閉つまみ付きのクリップからなる請求項１または２に記載の毛髪処理器。
【請求項５】
コームまたはブラシの本体部分への小径管の着脱手段が、この小径管に取り付けたブラケットと、ブラケットに設けたネジ孔にネジ付けた小ネジからなる請求項１または２に記載の毛髪処理器。
【発明の詳細な説明】
【技術分野】
【０００１】
この発明は、特殊なエアを毛髪に吹き付けて毛髪の痛みの回復や、ウエーブあるいはストレートパーマ用に使用される毛髪処理器に係り、使い慣れたコームやブラシをそのまま使用することが可能な毛髪処理器に関する。
【背景技術】
【０００２】
従来、毛髪処理手段としてはヘアトリートメントやヘアコンディショナを毛髪にコームやブラシで梳き込むようにすることが一般的であった。また、エアゾールタイプのヘアトリートメントやヘアコンディショナも一般的に使用されている。
他方、洗髪後の乾燥のため、あるいは毛髪のくせを取ったり、ウエーブあるいはストレートパーマをかけるためにヘアドライヤを使用することも行われており、またヒータを内蔵して直接毛髪を加熱できるようにした器具も用いられている。
このようないわゆるヘアアイロンとして、特開平１１−３１８５４２号公報（特許文献１参照）に示されたものがあり、これはグローブ側に熱源を設け、ロッド表面を断熱性の素材で被覆することにより、頭髪にカーリングされやすい温度差を生じさせようとするものである。
【特許文献１】特開平１１−３１８５４２号公報
【発明の開示】
【発明が解決しようとする課題】
【０００３】
しかしながら、上記従来のへアトリートメントやヘアコンディショナにおいては、毛髪のくせを直したり、毛髪の痛みを軽減することはできても、その前段階の洗髪後に毛髪を乾燥する機能までは持ち得ない。
またヘアドライヤは、洗髪後に熱により不要な水分を除去する、あるいは水分除去後ヘアブラシを取付けて整髪するにとどまるもので、熱風のブローは髪に悪影響を及ぼし、いくらトリートメント剤を使用しても毛髪が痛むという問題点があった。
さらに上記ヘアアイロンでは、熱源を内蔵していて毛髪を直接過熱するものであり、ヘアドライヤと同様に髪に悪影響を及ぼし、いくらトリートメント剤を使用しても毛髪が痛むという問題点があった。
【０００４】
本発明は、上記従来の問題点を解決するためになされたもので、コームまたはブラシ本体に多数のノズル孔を備えた小径管を取り付け、ノズル孔から毛髪処理用の流体を吹き出すようにするとともに、多数のノズル孔を備えた小径管をコームまたはブラシ本体に着脱可能とすることにより、使い慣れたコームまたはブラシ本体をそのまま使用しながら、コームまたはブラシ本体に沿って毛髪処理用の流体を吹き出せるようにした毛髪処理器を提供することを目的とするものである。
【課題を解決するための手段】
【０００５】
すなわち、この発明の毛髪処理器は上記技術課題を解決するため、コームまたはブラシの本体部分に着脱可能に小径管を取り付け、この小径管に所定の間隔で多数のノズル孔を形成するとともに、上記小径管に柔軟な連結管を介して毛髪処理用の流体を圧送する流体供給機構を付設したことを特徴とするものである。
【０００６】
この発明の毛髪処理器は、上記毛髪処理用の流体が、流体の通路を仕切るように複数枚のハニカムフィルターを設け、その間に流体の通路を形成するよう配置した管状部材に沿って、その外周上に磁場のニュートラルゾーンを形成する磁石を設置した流体改質装置で処理を施された流体からなることをも特徴とするものである。
【０００７】
この発明の毛髪処理器は、上記コームまたはブラシの本体部分への小径管の着脱手段が、この小径管に取り付けたクリップからなることをも特徴とするものである。
【０００８】
この発明の毛髪処理器は、上記コームまたはブラシの本体部分への小径管の着脱手段が、この小径管に取り付けた開閉つまみ付きのクリップからなることをも特徴とするものである。
【０００９】
この発明の毛髪処理器は、上記コームまたはブラシの本体部分への小径管の着脱手段が、この小径管に取り付けたブラケットと、ブラケットに設けたネジ孔にネジ付けた小ネジからなることをも特徴とするものである。
【発明の効果】
【００１０】
この発明の毛髪処理器は、コームまたはブラシ本体に多数のノズル孔を備えた小径管を取り付け、ノズル孔から毛髪処理用の流体を吹き出すようにするとともに、多数のノズル孔を備えた小径管をコームまたはブラシ本体に着脱可能とすることにより、コームまたはブラシ本体に沿って毛髪処理用の流体を吹き出せるようにして、効率的に毛髪の処理が行え、しかも使い慣れたコームまたはブラシ本体をそのまま使用できるため、プロの美容師や理容師でも無理なく使用することができるようになった。
【００１１】
しかもこの発明の毛髪処理器によれば、コームまたはブラシ本体に沿って取り付けた小径管のノズル孔から毛髪処理用の流体を吹き出すようにしたので、磁場のニュートラルゾーンの作用を受けた毛髪処理用の流体によって、毛髪が磁気作用により枝毛、抜け毛、切れ毛、くせ毛、白毛予防と毛髪のストレス解消に効果を発揮し、また磁場のニュートラルゾーンの作用を受けた毛髪処理用の流体が毛髪の雑菌を除去し、カユミとフケを取り、毛髪の悪臭をおさえて自然な毛髪に仕上げることができ、ヘアケアができる。
【発明を実施するための最良の形態】
【００１２】
次に、この発明の毛髪処理器の実施の形態を図面に基いて詳細に説明する。
図１は毛髪処理器の第１の実施例を示す概略図、図２はクリップ部分の斜視図、図３は組み付け状態の断面図、図４は毛髪処理器の第２の実施例を示す概略図、図５は組み付け前の状態を示す側面図、図６は組み付け状態の断面図、図７は毛髪処理器の第３の実施例を示す概略斜視図、図８は毛髪処理器をブラシに適用した実施例を示す概略平面図、図９はその断面図、図１０は流体改質器の概要を示す概略断面図である。
【００１３】
この発明の毛髪処理器の第１の実施例を示す図１ないし図３において、１１はすでに使用中のコームであり、この例では櫛の歯状に形成された本体部分１３と、把手１５とで構成されている。
図において２１は上記本体部分１３に着脱可能に取り付けた小径管で、ステンレス鋼材（ＳＵＳ）等の金属や硬質プラスチック、あるいはこれらの複合材料で形成されている。そしてこの小径管２１には所定の間隔で多数のノズル孔２３が形成してあり、上記小径管２１は柔軟な連結管２５を介して本体部分１３に毛髪処理用の流体を圧送する流体供給機構２７と連結されている。流体供給機構２７にはポンプＰが付設され、このポンプＰ等を駆動することによって毛髪処理用の流体は小径管２１のノズル孔２３から毛髪に向かって噴射される。
【００１４】
上記コーム１１の本体部分１３への小径管２１の着脱手段としては、予め小径管１３に図２のようなロー付け手段や接着剤、先端に形成した外套管（図示せず）等の取付手段でクリップ３１を取り付け、このクリップ３１を小径管２１へ装着することが挙げられる。その場合にはクリップ３１を、例えばバネ材料等の金属、その他の弾性素材で構成し、またその開口部分３３はコーム１１の本体部分１３の厚みより狭い幅に形成することが必要である。
もちろん、コーム１１の本体部分１３への小径管２１の取り付けは、このクリップ３１を図３のように開口部分３３から上記本体部分１３へ圧入することによって行われる。
図ではクリップ３１の両脚に取り付けた小径管２１にそれぞれ多数のノズル孔２３を形成した状態を示したが、一方の小径管２１のみにノズル孔２３を形成することもできる。
【００１５】
この発明に係る毛髪処理器の第２の実施例を示す図４ないし図６において、１１はすでに使用中のコームであり、この例では櫛の歯状に形成された本体部分１３と、把手１５とで構成されている。
図において２１は上記本体部分１３に着脱可能に取り付けた小径管で、ＳＵＳ等の金属や硬質プラスチック、あるいはこれらの複合材料で形成されている。そしてこの小径管２１には所定の間隔で多数のノズル孔２３が形成してあり、上記小径管２１は柔軟な連結管２５を介して本体部分１３に毛髪処理用の流体を圧送する流体供給機構（図示せず）と連結されている。
【００１６】
上記コーム１１の本体部分１３への小径管２１の着脱手段は、予め小径管２１に図５のようなロー付け手段や接着剤、先端に形成した外套管（図示せず）等の取付手段で開閉つまみ付きのクリップ４１を取り付け、このクリップ４１を小径管２１へ装着することが挙げられる。その場合には、バネ材料等の金属、その他の弾性素材で構成し、またその開口部分３３はコーム１１の本体部分１３の厚みより狭い幅に形成することが必要である。
もちろん、コーム１１の本体部分１３への小径管２１の取り付けは、この開閉つまみ付きのクリップ４１を開閉つまみ４３を指で挟んで開口部分４５を開き、図６のように開口部分３３から上記本体部分１３へはめ込むことによって行われる。開閉つまみ４３から指を離せば、クリップ４１はコーム１１の本体部分１３を強固に挟み付け、小径管２１は簡単にコーム１１の本体部分１３へ装着される。
図ではクリップ４１の両脚に取り付けた小径管２１にそれぞれ多数のノズル孔２３を形成した状態を示したが、一方の小径管２１のみにノズル孔２３を形成することもできる。
【００１７】
この発明の毛髪処理器の第３の実施例を示す図７において、２１はコームの本体部分に着脱可能に取り付ける小径管で、ＳＵＳ等の金属や硬質プラスチック、あるいはこれらの複合材料で形成されている。そしてこの小径管２１には所定の間隔で多数のノズル孔２３が形成してあり、上記小径管２１は柔軟な連結管を介して本体部分に毛髪処理用の流体を圧送する流体供給機構（図示せず）と連結されている。
【００１８】
上記コームの本体部分への小径管２１の着脱手段は、予め小径管２１にロー付け手段や接着剤、先端に形成した外套管（図示せず）等の取付手段でコ字状のブラケット５１を取り付け、コ字状のブラケット５１をコームの本体部分へ装着し、このブラケット５１に設けたネジ孔５３に小ネジ５５をネジ付けることが挙げられる。
もちろん、コーム１１の本体部分１３への小径管２１の取り付けは、このコ字状のブラケット５１をコームの本体部分へ取り付け、ネジ孔５３にネジ付けた小ネジ５５を本体部分へ当接するまでねじ込むことによって強固に取り付けられる。
【００１９】
上記コームの本体部分への小径管２１の着脱手段においては、小径管２１に短尺のクリップ３１，４１やコ字状のブラケット５１を所定の間隔をおいて複数取り付けた状態を示したが、長尺のクリップ３１，４１やコ字状のブラケット５１を使用してもよいことはもちろんである。
【００２０】
また、使用者の利き手に応じてコームの本体部分へ取り付けた一方の小径管２１のみにノズル孔２３を形成し、その使い勝手を改善することもできる。その場合、利き手がどちらかであるかだけでなく、コームのどの面を使用することが使用者のくせとなっているかも考慮することが望ましい。
【００２１】
この発明の毛髪処理器をブラシに適用した実施例を示す図８および図９において、７１はブラシ６１の本体部分６３に着脱可能に取り付ける小径管で、ＳＵＳ等の金属や硬質プラスチック、あるいはこれらの複合材料で形成されている。そしてこの小径管７１には所定の間隔で多数のノズル孔７３が形成してあり、上記小径管７１は柔軟な連結管を介して本体部分に毛髪処理用の流体を圧送する流体供給機構（図示せず）と連結されている。
【００２２】
上記コームの本体部分への小径管７１の着脱手段は、予め小径管７１の取付部７５に回転軸７７を取り付け、この回転軸７７に、その一方に小径管７１に沿って延びる挟着アーム７９を、また他方にはバネ８３を内蔵した操作アーム８１を一体化した挟着具８０を回動可能に取り付けて形成している。
もちろん、ブラシ６１の本体部分６３への小径管７１の取り付けは、ブラシ６１の植毛部分の隙間に小径管７１を差し込むと同時に、操作アーム８１を指で挟んでバネ８３の段発力に抗して挟着アーム７９を開いて、ブラシ６１の本体部分６３の背面へ取り付け、バネ８３の段発力で挟着アーム７９をブラシ６１の本体部分６３を挟みつけて強固に取り付けるようになっている。
【００２３】
ちなみに毛髪処理用の流体は、図１０に示すように、流体の通路９１を仕切るように複数枚のハニカムフィルター９３を設け、その間に流体の通路９１を形成するよう配置した管状部材９５に沿って、その外周上に磁場のニュートラルゾーンを形成する磁石９７を設置した流体改質装置１０１によって供給される。すなわち、毛髪処理用の流体を圧送する流体供給機構には、予め、あるいは処理と同時に以上の磁場による処理を施された流体が供給される。
【産業上の利用可能性】
【００２４】
この発明の毛髪処理器は上記のように構成したものであるから、この毛髪処理器で供給される流体により、血液のＰＨが正常化され、血液の酸性化が防止されて血行を良くするとともに、毛髪はこの磁場のニュートラルゾーンの持つ作用により、髪の枝毛、抜け毛、切れ毛、くせ毛、白髪予防と髪のストレス解消に効果を発揮し、また、その酸化力が殺菌・脱臭作用を発揮して髪に付着した雑菌をとり、カユミとフケをとり、髪の悪臭を押さえて自然な髪に仕上げることができ、ヘアケアができる。
【００２５】
したがって、美容室や理容室、リラクゼーション施設のみならず、家庭等においても公的に使用することが可能である。
【図面の簡単な説明】
【００２６】
【図１】毛髪処理器の第１の実施例を示す概略図である。
【図２】クリップ部分の斜視図である。
【図３】組み付け状態の断面図である。
【図４】毛髪処理器の第２の実施例を示す概略図である。
【図５】組み付け前の状態を示す側面図である。
【図６】組み付け状態の断面図である。
【図７】毛髪処理器の第３の実施例を示す概略斜視図である。
【図８】毛髪処理器をブラシに適用した実施例を示す概略平面図である。
【図９】その断面図である。
【図１０】流体改質器の概要を示す概略断面図である。
【符号の説明】
【００２７】
１１  コーム
１３  本体部分
１５  把手
２１  小径管
２３  ノズル孔
２５  連結管
２７  流体供給機構
Ｐ  ポンプ
３１  クリップ
３３  開口部分
４１  クリップ
４３  開閉つまみ
４５  開口部分
５１  ブラケット
５３  ネジ孔
５５  小ネジ
６１  ブラシ
６３  本体部分
７１  小径管
７３  ノズル孔
７５  取付部
７７  回転軸
７９  挟着アーム
８０  挟着具
８１  操作アーム
８３  バネ
９１  流体の通路
９３  ハニカムフィルター
９５  管状部材
９７  磁石
１０１  流体改質装置
【図１】
2005334541.tif 000003
【図２】
2005334541.tif 000004
【図３】
2005334541.tif 000005
【図４】
2005334541.tif 000006
【図５】
2005334541.tif 000007
【図６】
2005334541.tif 000008
【図７】
2005334541.tif 000009
【図８】
2005334541.tif 000010
【図９】
2005334541.tif 000011
【図１０】
2005334541.tif 000012